(57)【要約】【課題】ホームシアターとしてマルチチャンネル音声を外付けのスピーカーから再生すると共に、同時に、特定の成分のみを抽出した音声信号をＴＶに内蔵のスピーカーから出力することにより、前方左右の中央に位置すべき音声をより画面と一体感を持って再生する、あるいは、前方方向への広がり感の追加など、音場効果を高めることができる音響再生装置、および、それを含む映像音声視聴システムを提供する。【解決手段】ＨＤＭＩ受信部１０１に入力されたＨＤＭＩ伝送信号から音声信号を分離し、音声処理部１０４で特定の成分のみを抽出した音声信号をＨＤＭＩ受信部１０１で分離した映像信号とＨＤＭＩ信号合成部１０２で合成し、ＨＤＭＩ送信部１０３から送信し、接続されたＴＶ２００の内蔵スピーカーから前記特定の成分のみを抽出した音声信号を出力する。【選択図】図１
2009260458.tif 000002
【特許請求の範囲】
【請求項１】
ＨＤＭＩ規格による映像・音声信号の入力部、及び出力部を備え、前記出力部にて映像音声再生装置と接続し、前記入力部からの音声信号を処理して外部スピーカーに出力するようにした音響再生装置であって、
ＨＤＭＩ規格による映像・音声信号を送信可能な映像・音声信号源から、映像信号と音声信号とが多重化された当該ＨＤＭＩ規格による伝送信号データを受信し、それぞれ映像信号データと音声信号データに分離して出力するＨＤＭＩ信号受信部と、
外部スピーカーから出力するために音声信号に所定の処理を施すと共に、別途、特定の効果を得るために所定の処理を施して出力する音声処理部と、
前記ＨＤＭＩ信号受信部で受信した映像信号データと該音声信号データを合成するＨＤＭＩ信号合成部と、
前記ＨＤＭＩ信号合成部から出力される伝送信号データを、映像表示部及び内蔵スピーカを有する映像音声再生装置に送信するＨＤＭＩ信号出力部と
該ＨＤＭＩ信号受信部、ＨＤＭＩ信号合成部、ＨＤＭＩ信号送信部、音声処理部を制御する制御部を備え、
前記音声処理部で処理された音声信号を外部スピーカーから出力している時に、更に前記音声処理部で処理が施された特定の成分のみを抽出した音声信号を、接続する該映像音声再生装置の内蔵スピーカーから出力するために、前記ＨＤＭＩ信号送信部よりＨＤＭＩ信号として合成出力することを特徴とする音響再生装置。
【請求項２】
ＨＤＭＩ規格による映像・音声信号とは別に外部装置とのデータ通信手段を有し、
前記映像・音声再生装置の内蔵スピーカーから出力される音声の音量を制御するために、制御部より音量制御用データを送信することを特徴とする請求項１に記載された音響再生装置。
【請求項３】
ＨＤＭＩ規格による映像・音声信号とは別に外部装置とのデータ通信手段を有し、
前記映像・音声再生装置からの音量制御用データを受信し、外部スピーカーから出力される音声の音量を制御することを特徴とする請求項１に記載された音響再生装置。
【請求項４】
前記音量レベル制御用信号は、Ｃｏｎｓｕｍｅｒ  Ｅｌｅｃｔｒｏｎｉｃｓ  Ｃｏｎｔｒｏｌ（ＣＥＣ）規格に準拠した信号であることを特徴とする請求項２、３に記載の音響再生装置。
【請求項５】
請求項１から４に記載の音響再生装置と、該音響再生装置から出力されたＨＤＭＩ伝送信号を受けて映像信号と音声信号に分けて出力するＨＤＭＩ信号受信部と分離された音声信号に所定の処理を施す音声処理部、その音声信号を再生する音声増幅部、および、内蔵スピーカー、分離された映像信号に所定の処理を施す映像処理部、映像信号を映し出すディスプレイを有する映像音声再生装置を含む映像音声視聴システム。
【請求項６】
前記音響再生装置はＡＶアンプ、前記映像・音声再生装置はテレビジョン受信機である請求項５に記載の映像音声視聴システム。
【請求項７】
請求項５〜６に記載の映像音声視聴システムであって、前記映像音声再生装置が、ＨＤＭＩ規格による映像・音声信号とは別に外部装置とのデータ通信手段を有し、音響再生装置からの音量制御データを受信し、内蔵スピーカーで再生する音声信号の音量を制御することを特徴とする映像音声視聴システム。
【請求項８】
請求項５〜６に記載の映像音声視聴システムであって、前記音響再生装置が、ＨＤＭＩ規格による映像・音声信号とは別に外部装置とのデータ通信手段を有し、映像音声再生装置からの音量制御データを受信し、外部スピーカーで再生する音声信号の音量を制御することを特徴とする映像音声視聴システム。
【発明の詳細な説明】
【技術分野】
【０００１】
本発明は、ＨＤＭＩ規格による映像信号および音声信号を受信し、その信号を映像音声再生装置に送信すると共に、音声信号の出力機能を有する音響再生装置、および、それを含む映像音声視聴システムに関するものである。
【背景技術】
【０００２】
従来より、ＤＶＤプレーヤやＤＶＤレコーダ等の映像音声信号発生装置、ＡＶアンプ等の音響再生装置、およびテレビジョン受信機（以下、「ＴＶ」と称する）等の映像音声再生装置を組み合わせた映像音声視聴システムが提供されている。
【０００３】
近年、自宅で映画館のような臨場感を実現する、一般にホームシアターシステムと呼ばれる映像音声視聴システムが種々提案され普及しつつある。ユーザはホームシアターシステムの音響再生装置に接続した外部スピーカから出力されるマルチチャンネル音声を容易に楽しむことが出来る。
【０００４】
特に、最近では、複数のスピーカーを内蔵したＴＶ台、ＴＶを上に乗せることができるラック型ホームシアターのシステムも増えてきており、更に手軽にホームシアターを楽しむことができるようになってきている。これらの装置はＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格の伝送信号の送受信ができるものも多く、ＨＤＭＩ規格のケーブル一本で簡単に接続ができ、また、デジタル伝送により高画質、高音質での再生が可能となっている。
【特許文献１】特開２００７−８８７７４号公報
【特許文献２】特開２００４−１０４７１５号公報
【特許文献３】特開２００４−７３８９号公報
【発明の開示】
【発明が解決しようとする課題】
【０００５】
このような従来の音響再生装置、映像音声視聴システムにおいて、映画のセリフや音楽のボーカルなど、前方左右の中央に位置すべき音声は専用のセンタースピーカーから出力されるようになっている場合がほとんどである。そして、このセンタースピーカーはディスプレイの上、または下に置かれることが多く、特にラック型ホームシアターではその構造上、左右のスピーカーと共に画面の下に配置される。
【０００６】
このようにディスプレイの上下にセンタースピーカーが配置される場合は、ディスプレイに映し出される映像とセンタースピーカーから出力される音声の位置関係は一致しておらず、映画のセリフや音楽のボーカル音声が画面の外から聞こえることになり、非常に違和感があった（例えば図２に示すラック型ホームシアター）。
【０００７】
追加でのセンタースピーカーの設置を不要とし、また、上記課題を解決するために、ＴＶに内蔵されたスピーカーをセンタースピーカーとして使用する映像音声視聴システムもあるが（特許文献１〜３）、ラック型ホームシアターのように前方左右用のスピーカーもディスプレイの下に位置する場合は、前方左右方向の音のつながりが悪くなるなどの欠点もある（例えば図５に示すラック型ホームシアター）。
【０００８】
本発明は、かかる従来の課題を解決するものであり、ホームシアターとしてマルチチャンネル音声を外付けのスピーカーから再生すると共に、同時に、特定の成分のみを抽出した音声信号をＴＶに内蔵のスピーカーから出力することにより、前方左右の中央に位置すべき音声をより画面と一体感を持って再生する、あるいは、前方方向への広がり感の追加など、音場効果を高めることができる音響再生装置、および、それを含む映像音声視聴システムを提供することを目的としたものである。
【課題を解決するための手段】
【０００９】
本発明の音響再生装置は、ＨＤＭＩ規格による映像・音声信号の入力部、及び出力部を備え、前記出力部にて映像音声再生装置と接続し、前記入力部からの音声信号を処理して外部スピーカーに出力するようにした音響再生装置、および、それを含む映像音声視聴システムであって、ＨＤＭＩ規格による映像・音声信号を送信可能な映像・音声信号源から、映像信号と音声信号とが多重化された当該ＨＤＭＩ規格による伝送信号データを受信し、それぞれ映像信号データと音声信号データに分離して出力するＨＤＭＩ信号受信部と、外部スピーカーから出力するために音声信号に所定の処理を施すと共に、別途、特定の効果を得るために所定の処理を施して出力する音声処理部と、前記ＨＤＭＩ信号受信部で受信した映像信号データと該音声信号データを合成するＨＤＭＩ信号合成部と、前記ＨＤＭＩ信号合成部から出力される伝送信号データを、映像表示部及び内蔵スピーカを有する映像音声再生装置に送信するＨＤＭＩ信号出力部と、該ＨＤＭＩ信号受信部、ＨＤＭＩ信号合成部、ＨＤＭＩ信号送信部、音声処理部を制御する制御部を備え、前記音声処理部で処理された音声信号を外部スピーカーから出力している時に、更に前記音声処理部で処理が施され特定の成分のみを抽出した音声信号を、接続する該映像音声再生装置の内蔵スピーカーから出力するために、前記ＨＤＭＩ信号送信部よりＨＤＭＩ信号として合成出力することを特徴とする。
【００１０】
本発明によれば、ディスプレイの上下にセンタースピーカーが配置され、ディスプレイに映し出される映像とセンタースピーカーから出力される音声の位置関係が一致しておらず、映画のセリフや音楽のボーカル音声が画面の外から聞こえることになり、違和感がある場合であっても、特定の成分のみを抽出した音声信号をＴＶに内蔵のスピーカーから出力することにより、前方左右の中央に位置すべき音声をより画面と一体感を持って再生する、あるいは、前方方向への広がり感の追加など、音場効果を高めることができるという作用を有する。
【００１１】
特定の成分とは、例えば以下のようなものである。
（１）外部スピーカーから出力される音声信号の内、特定の帯域の音声信号
センターチャンネルの音声の内、一部の周波数帯域、たとえば音声帯域のみ抽出したもの
（２）外部スピーカーから出力される音声信号の内、効果音成分を構成する音声信号
たとえば、サラウンドチャンネルの音声の内、高域成分のみを抽出したもの
【発明の効果】
【００１２】
本発明の音響再生装置、および、それを含む映像音声視聴システムは、ＨＤＭＩ規格による映像・音声信号の入出力部を備え、音声信号を処理して外部スピーカーに出力するようにした音響再生装置、および、それを含む映像音声視聴システムであって、ＨＤＭＩ規格による映像・音声信号を送信可能な映像・音声信号源から、映像信号と音声信号とが多重化された当該ＨＤＭＩ規格による伝送信号データを受信し、それぞれ映像信号データと音声信号データに分離して出力するＨＤＭＩ信号受信部と、外部スピーカーから出力するために音声信号に所定の処理を施すと共に、別途、特定の効果を得るために所定の処理を施して出力する音声処理部と、前記ＨＤＭＩ信号受信部で受信した映像信号データと該音声信号データを合成するＨＤＭＩ信号合成部と、前記ＨＤＭＩ信号合成部から出力される伝送信号データを、映像表示部及び内蔵スピーカを有する映像音声再生装置に送信するＨＤＭＩ信号出力部と、該ＨＤＭＩ信号受信部、ＨＤＭＩ信号合成部、ＨＤＭＩ信号送信部、音声処理部を制御する制御部を備え、前記音声処理部で処理された音声信号を外部スピーカーから出力している時に、更に前記音声処理部で処理が施された特定の成分のみを抽出した音声信号を、接続する該映像音声再生装置の内蔵スピーカーから出力するために、ＨＤＭＩ信号として合成出力することで、
（１）外部スピーカーから出力される音声信号の内、特定の帯域の音声信号を映像音声再生装置の内蔵スピーカーから出力した場合
ディスプレイの上下にセンタースピーカーが配置され、ディスプレイに映し出される映像とセンタースピーカーから出力される音声の位置関係が一致しておらず、映画のセリフや音楽のボーカル音声が画面の外から聞こえることになり、違和感がある場合であっても、特定の成分のみを抽出した音声信号をＴＶに内蔵のスピーカーから出力することにより、前方左右の中央に位置すべき音声をより画面と一体感を持って再生することができる。
（２）外部スピーカーから出力される音声信号の内、効果音成分を構成する音声信号を映像音声再生装置の内蔵スピーカーから出力した場合
音楽を主体としたコンテンツを再生する場合に、前方方向への広がり感の追加など、音場効果を高めることができる。
【発明を実施するための最良の形態】
【００１３】
以下、本発明の音響再生装置、および、それを含む映像音声視聴システムを実施するための最良の形態について、図１から図５を用いて詳細に説明する。
【００１４】
（実施の形態１）
図１は、音響再生装置を含む映像音声視聴システムの構成を示す。映像音声視聴システムは、ＡＶアンプ１００、および、ＴＶ２００を含む。ＡＶアンプ１００は音響再生装置の一例であり、ＴＶ２００は映像音声再生装置の一例である。
【００１５】
ＡＶアンプ１００は、音声処理部１０４、音声増幅部１０５、制御部１０６を含む。また端子１１１には、外部機器であるＤＶＤレコーダ５００が接続されている。
【００１６】
ＨＤＭＩ受信部１０１には接続されたＤＶＤレコーダ５００映像音声信号発生装置からのＨＤＭＩ伝送信号が入力されており、映像信号と音声信号に分離された後の映像信号と、音声信号切換スイッチ１１３により選択された音声信号とを合成するＨＤＭＩ信号合成部１０２を通り、ＨＤＭＩ送信部１０３へ送られる。
【００１７】
音声信号切換スイッチ１１３には、ＨＤＭＩ受信部１０１からの音声信号（Ｓａ１）と、その信号に所定の処理を施した後の音声信号（Ｓａ２）とが入力されており、制御部１０６により選択が可能となっている。
【００１８】
なお、ＡＶアンプ１００には、外部スピーカとしてマルチチャンネルスピーカ１０７が接続されている。ここでは左右チャンネル（Ｌ、Ｒ）、および中央チャンネル（Ｃ）、重低音チャンネル（ＳＷ）の３．１チャンネルシステムとしているが、チャンネル数や構成をを特定するものではない。なお、説明の便宜上、マルチチャンネルスピーカ１０７を外部スピーカ１０７とも呼称するものとする。
【００１９】
以上のように構成されたＡＶアンプ１００（音響再生装置）について、その動作を説明する。
【００２０】
まず、ＤＶＤレコーダ５００でＤＶＤディスクの映画ソフトを再生し、そのセリフをより画面の中から聞こえるようにするために本発明を機能させる場合を考える。この時、ＤＶＤレコーダ５００の出力音声形式はマルチチャンネルの圧縮データに設定されているものとする。ＤＶＤレコーダ５００から出力されたＨＤＭＩ伝送信号は、ＨＤＭＩ入力端子１１１よりＡＶアンプ１００のＨＤＭＩ受信部１０１に入力される。ＨＤＭＩ受信部１０１は入力されたＨＤＭＩ伝送信号を解読し、映像信号データと音声信号データに分離し、出力する。分離された映像信号はそのままＨＤＭＩ信号合成部１０２へ入力される。一方、分離された音声信号（Ｓａ１）は、音声処理部１０４に入力される。音声処理部１０４ではマルチチャンネル圧縮音声データをデコード処理した後、各出力チャンネルの音声信号として音声増幅部１０５に入力され、外部スピーカー１０７から出力される。同時に、音声処理部１０５ではセンターチャンネルの音声信号の内、約８ｋＨｚを中心としたバンドパスフィルタを通した音声帯域の信号（Ｓａ２）が抽出され、２チャンネル音声として音声信号切換スイッチ１１３に入る。ここで、８ｋＨｚ付近の帯域成分としているのは、この帯域の音声成分が上方に定位しやすいという特徴を持っているとされているからである。音声信号切換スイッチ１１３は、効果を有効とする選択がされている場合にはＳａ２側になるように制御部１０６により制御される。ＨＤＭＩ受信から出力された映像信号と、音声信号切換スイッチ１１３からの音声信号（Ｓａ２）はＨＤＭＩ信号合成部１０２によりＨＤＭＩ伝送信号に合成され、該ＨＤＭＩ伝送信号はＨＤＭＩ送信部１０３より出力される。
【００２１】
ＡＶアンプ１００のＨＤＭＩ出力端子１１２に接続されたＨＤＭＩケーブルを通してＨＤＭＩ伝送信号はＴＶ２００のＨＤＭＩ入力端子２１１からＨＤＭＩ受信部２０１へ入力される。ＨＤＭＩ受信部２０１では、入力されたＨＤＭＩ伝送信号は映像信号と音声信号に分離され、映像信号は映像信号処理部２０８で適宜処理され、ディスプレイ２０９に映し出される。音声信号は音声処理部２０４で２チャンネル音声信号に変換され、音声増幅部２０５で増幅された後、内蔵スピーカー２０７から出力される。
【００２２】
ここで、本実施例での効果を図２〜３を併用して説明する。図２はＡＶアンプ１００とその外部スピーカー１０７をラック型ホームシアターとして構成した場合のもので、本発明の効果をオフしている場合の音像を図示したものである。セリフなど前方左右の中央に位置すべき音声も含め、すべての音像が画面の下に定位している。
【００２３】
図３は本発明の効果をオンにした場合のものであるが、ＴＶ２００の内蔵スピーカー２０７から出力される音声は、ＡＶアンプ１００の外部スピーカー１０７のセンターチャンネル用スピーカーから出力される音声信号の内、上方に定位しているように感じやすい帯域の成分のみを抜き出したものであるため、ＡＶアンプ１００の外部スピーカー１０７のセンターチャンネル用スピーカーからの音声信号と同時に出力されることで、図３のように、本来のセンターチャンネルの音声信号はＡＶアンプ１００の外部スピーカー１０７のセンタースピーカーから出力されるため、左右方向の音のつながりを大幅に損なうことなく、セリフなど前方左右の中央に位置すべき音像がより画面内に定位する。
【００２４】
以上のように、本形態によれば、ＨＤＭＩ接続されたＴＶの内蔵スピーカー２０７を使用することで、ディスプレイ２０９の下にセンタースピーカーが配置され、ディスプレイ２０９に映し出される映像とセンタースピーカーから出力される音声の位置関係が一致しておらず、映画のセリフや音楽のボーカル音声が画面の外から聞こえることになり、違和感がある場合であっても、前方左右の中央に位置すべき音声をより画面と一体感を持って再生することができる。
【００２５】
なお、本実施例の構成での音声信号切換スイッチ１１３は、音声処理部１０４に入力された音声信号Ｓａ１をそのまま出力するか、処理を施して出力するかを音声処理部１０４の内部で切り替えることで省略することもできる。
【００２６】
また、ここでは帯域の制限を８ｋＨｚ付近としたが、４００Ｈｚ〜４ｋＨｚ程度の音声帯域とすると、より音声のみが強調されることとなり、ニュース番組などの視聴に適した効果が得られる。更に、より高域の４ｋＨｚ以上の帯域を取り出した場合は、音の広がり間が増し、音楽再生に効果的である。
【００２７】
（実施の形態２）
次に、同じく図１の響再生装置を含む映像音声視聴システムの構成を基に、第２の実施の形態について説明する。
【００２８】
本実施の形態においては、基本的な構成、動作、効果は前記第１の実施の形態と同じであるが、ＡＶアンプ１００の音量を変化させた場合の、ＴＶ２００での音量変化の動作が追加される。
【００２９】
ＡＶアンプ１００の音量調整ボタンや調整ノブ、リモコン操作（いずれも図示せず）により、制御部１０６は音声処理部１０４，もしくは音声増幅部１０５を制御することで、外部スピーカー１０７からの音声出力の音量を調整する。この時、同時に、制御部１０６は音量制御用データをＨＤＭＩ伝送ケーブルの制御線３００を通してＴＶ２００の制御部２０６へ送信する。ＴＶ２００の制御部２０６は、受け取った音量制御用データを基に音声処理部２０４もしくは音声増幅部２０５を制御することで内蔵スピーカー２０７からの出力音声の音量を調整する。
【００３０】
このように、ＡＶアンプ１００の外部スピーカー１０７からの音声出力の音量が調整された時にその音量に応じた制御データをＴＶ２００に送ることでＴＶ２００の内部スピーカーからの音声出力の音量を連動させることができる。
【００３１】
前記、実施の形態２の音量レベル制御用データは、ＣＥＣ規格に準拠した信号であることが望ましい。
【００３２】
（実施の形態３）
次に、同じく図１の響再生装置を含む映像音声視聴システムの構成を基に、第３の実施の形態について説明する。
【００３３】
本実施の形態においては、基本的な構成、動作、効果は前記第１の実施の形態と同じであるが、ＴＶ２００の音量を変化させた場合の、ＡＶアンプ１００での音量変化の動作が追加される。
【００３４】
ＴＶ２００の音量調整ボタンや調整ノブ、リモコン操作（いずれも図示せず）により、制御部２０６は音声処理部２０４，もしくは音声増幅部２０５を制御することで、内蔵スピーカー２０７からの音声出力の音量を調整する。この時、同時に、制御部２０６は音量制御用データをＨＤＭＩ伝送ケーブルの制御線３００を通してＡＶアンプ１００の制御部１０６へ送信する。ＡＶアンプ１００の制御部１０６は、受け取った音量制御用データを基に音声処理部１０４もしくは音声増幅部１０５を制御することで外部スピーカー１０７からの出力音声の音量を調整する。
【００３５】
このように、ＴＶ２００の内蔵スピーカー２０７からの音声出力の音量が調整された時にその音量に応じた制御データをＡＶアンプ１００に送ることでＡＶアンプ１００の外部スピーカーからの音声出力の音量を連動させることができる。
【００３６】
前記、実施の形態３の音量レベル制御用データは、ＣＥＣ規格に準拠した信号であることが望ましい。
【００３７】
（実施の形態４）
次に、同じく図１の響再生装置を含む映像音声視聴システムの構成を基に、第４の実施の形態について説明する。
【００３８】
本実施の形態においては、基本的な構成、動作、効果は前記第１の実施の形態と同じである。
【００３９】
まず、ＤＶＤレコーダ５００でＤＶＤディスクの映画ソフトを再生し、その効果音を強調し、前方の音場の広がりを付加するために本発明を機能させる場合を考える。この時、ＤＶＤレコーダ５００の出力音声形式はマルチチャンネルの圧縮データに設定されているものとする。ＤＶＤレコーダ５００から出力されたＨＤＭＩ伝送信号は、ＨＤＭＩ入力端子１１１よりＡＶアンプ１００のＨＤＭＩ受信部１０１に入力される。ＨＤＭＩ受信部１０１は入力されたＨＤＭＩ伝送信号を解読し、映像信号データと音声信号データに分離し、出力する。分離された映像信号はそのままＨＤＭＩ信号合成部１０２へ入力される。一方、分離された音声信号（Ｓａ１）は、音声処理部１０４に入力される。音声処理部１０４ではマルチチャンネル圧縮音声データをデコード処理した後、各出力チャンネルの音声信号として音声増幅部１０５に入力され、外部スピーカー１０７から出力される。同時に、音声処理部１０４ではサラウンドチャンネルの音声信号の内、約４ｋＨｚ以上の高域成分（Ｓａ２）が抽出され、２チャンネル音声として音声信号切換スイッチ１１３に入る。音声信号切換スイッチ１１３は、効果を有効とする選択がされている場合にはＳａ２側になるように制御部１０６により制御される。ＨＤＭＩ受信から出力された映像信号と、音声信号切換スイッチ１１３からの音声信号（Ｓａ２）はＨＤＭＩ信号合成部１０２によりＨＤＭＩ伝送信号に合成され、該ＨＤＭＩ伝送信号はＨＤＭＩ送信部１０３より出力される。
【００４０】
ＡＶアンプ１００のＨＤＭＩ出力端子１１２に接続されたＨＤＭＩケーブルを通してＨＤＭＩ伝送信号はＴＶ２００のＨＤＭＩ入力端子２１１からＨＤＭＩ受信部２０１へ入力される。ＨＤＭＩ受信部２０１では、入力されたＨＤＭＩ伝送信号は映像信号と音声信号に分離され、映像信号は映像信号処理部２０８で適宜処理され、ディスプレイに映し出される。音声信号は音声処理部２０４で２チャンネル音声信号に変換され、音声増幅部２０５で増幅された後、内蔵スピーカー２０７から出力される。
【００４１】
ここで、本実施例での効果を図５を併用して説明する。図２はＡＶアンプ１００とその外部スピーカー１０７をラック型ホームシアターとして構成した場合のもので、本発明の効果をオフしている場合の音像を図示したものである。サラウンドチャンネルの音場は図示していないが、一般的なラック型ホームシアターでは前方にしかスピーカーが配置されていなくても、頭部伝達関数を利用したバーチャル再生技術により効果音成分は視聴位置後方に周囲に取り巻くように定位して聞こえる。
【００４２】
図４は本発明の効果をオンにした場合のもので、前方の音場イメージを図示したものである。ＴＶ２００の内蔵スピーカー２０７から出力される音声は、ＡＶアンプ１００のサラウンドチャンネル信号の内、約４ｋＨｚ以上の高域成分が抽出されたものであるため、ＡＶアンプ１００の外部スピーカー１０７からのバーチャル再生されたサラウンドチャンネルの音声信号と同時に出力されることで、図４のように、前方にもサラウンド音場が奥行き感として現れ、また、後方に定位しているバーチャル音源との相互関係で音像は上方に持ち上げられ、前後左右のみならず、上下方向へのサラウンド音場の広がり感を得ることができる。
【００４３】
以上のように、本実施の形態によれば、ＨＤＭＩ接続されたＴＶの内蔵スピーカーを使用することで、音場の広がり感を強調し、臨場感を高める効果を得ることができる。
【産業上の利用可能性】
【００４４】
本発明は、ディスプレイの上下にセンタースピーカーが配置され、ディスプレイに映し出される映像とセンタースピーカーから出力される音声の位置関係が一致しておらず、映画のセリフや音楽のボーカル音声がディスプレイの外から聞こえることになり、違和感がある場合であっても、特定の成分のみを抽出した音声信号をＴＶに内蔵のスピーカーから出力することにより、前方左右の中央に位置すべき音声をより画面と一体感を持って再生する、あるいは、前方方向への広がり感の追加など、音場効果を高めることができるという作用を有し、家庭で使用するホームシアターシステムとして広く利用可能なものである。
【図面の簡単な説明】
【００４５】
【図１】本発明の実施の形態１〜４における映像音声視聴システムの構成図
【図２】本発明の実施の形態１における映像音声視聴システムの効果オフ時の音像イメージ図
【図３】本発明の実施の形態１における映像音声視聴システムの効果オン時の音像イメージ図
【図４】本発明の実施の形態４における映像音声視聴システムの効果オン時の音像イメージ図
【図５】ＴＶに内蔵されたスピーカーをセンタースピーカーとして使用する従来の例での音像イメージ図
【符号の説明】
【００４６】
１００    ＡＶアンプ
１０１    ＨＤＭＩ信号受信部
１０２    ＨＤＭＩ信号合成部
１０３    ＨＤＭＩ信号送信部
１０４    音声処理部
１０５    音声増幅部
１０６    制御部
１０７    外部（マルチチャンネル）スピーカー
１１１    ＨＤＭＩ信号入力端子
１１２    ＨＤＭＩ信号出力端子
２００    テレビジョン受信機（ＴＶ）
２０１    ＨＤＭＩ信号受信部
２０４    音声処理部
２０５    音声増幅部
２０６    制御部
２０７    内蔵スピーカー
２０８    映像処理部
２０９    ディスプレイ
２１１    ＨＤＭＩ信号入力端子
３００    制御信号
５００    ＤＶＤレコーダ
５０１    ＤＶＤレコーダ制御部
【図１】
2009260458.tif 000003
【図２】
2009260458.tif 000004
【図３】
2009260458.tif 000005
【図４】
2009260458.tif 000006
【図５】
2009260458.tif 000007